(57)【特許請求の範囲】
【請求項１】
アクセスネットワークデバイスであって、
発呼側ユーザ機器によって送信されたコールリクエストを受信するように構成された受信機であって、前記コールリクエストは着呼側ユーザ機器のユーザ通信識別子を搬送する、受信機と、
コアネットワークデバイスによって送信されたページングメッセージを前記受信機が受信する前に、前記ユーザ通信識別子に基づいてページングリクエストを生成するように構成されたプロセッサであって、前記ページングリクエストに基づいて、前記着呼側ユーザ機器へのシグナリング接続を設定するように更に構成されているプロセッサと、
前記プロセッサによって生成された前記ページングリクエストを前記着呼側ユーザ機器に送信するように構成された送信機とを備える、アクセスネットワークデバイス。
【請求項２】
前記プロセッサは、前記ユーザ通信識別子に基づいて、前記着呼側ユーザ機器が通信するターゲット無線ネットワークコントローラを判定するように更に構成されており、
前記送信機が、前記プロセッサによって生成された前記ページングリクエストを前記着呼側ユーザ機器に送信するように構成されている、ということは、
前記送信機が、前記着呼側ユーザ機器が通信する前記ターゲット無線ネットワークコントローラと前記発呼側ユーザ機器が通信する発呼側無線ネットワークコントローラとが同じ無線ネットワークコントローラであるときに、前記プロセッサによって生成された前記ページングリクエストを前記着呼側ユーザ機器に送信するように構成されている、ということを含み、
当該アクセスネットワークデバイスは、前記発呼側無線ネットワークコントローラである、請求項１に記載のアクセスネットワークデバイス。
【請求項３】
前記受信機は、前記コアネットワークデバイスによって送信されたリンギング情報を受信する前に、前記着呼側ユーザ機器によって送信された前記リンギング情報を受信するように更に構成されており、
前記送信機は、前記コアネットワークデバイスによって送信された前記リンギング情報を前記受信機が受信する前に、前記リンギング情報を前記発呼側ユーザ機器に送信するように更に構成されている、請求項１又は２に記載のアクセスネットワークデバイス。
【請求項４】
前記受信機は、前記コアネットワークデバイスによって送信された命令であって、前記着呼側ユーザ機器への無線サービスベアラ接続を設定するように当該アクセスネットワークデバイスに命じる命令を受信するように更に構成されており、
前記プロセッサは、前記着呼側ユーザ機器へのシグナリング接続を設定し、無線サービスベアラ接続を設定する前記命令を前記受信機が受信する前に無線サービスベアラ接続メッセージを生成するように更に構成されており、
前記送信機は、前記プロセッサによって生成された前記無線サービスベアラ接続メッセージを前記着呼側ユーザ機器に送信するように更に構成されており、
前記プロセッサは、前記無線サービスベアラ接続メッセージに基づいて、前記着呼側ユーザ機器への無線サービスベアラ接続を設定するように更に構成されている、請求項１から３のいずれか一項に記載のアクセスネットワークデバイス。
【請求項５】
前記プロセッサは、前記ユーザ通信識別子に基づいて、前記着呼側ユーザ機器が通信するターゲット無線ネットワークコントローラを判定するように更に構成されており、
前記送信機が、前記プロセッサによって生成された前記ページングリクエストを前記着呼側ユーザ機器に送信するように構成されている、ということは、
前記送信機が、前記着呼側ユーザ機器が通信する前記ターゲット無線ネットワークコントローラと前記発呼側ユーザ機器が通信する発呼側無線ネットワークコントローラとが同じ無線ネットワークコントローラでないときに、前記プロセッサによって生成された前記ページングリクエストを前記ターゲット無線ネットワークコントローラに送信し、その結果、前記ページングリクエストが、次に、前記ターゲット無線ネットワークコントローラを用いることによって前記着呼側ユーザ機器に送信される、ように構成されている、ということを含み、
当該アクセスネットワークデバイスは、前記発呼側無線ネットワークコントローラである、請求項１に記載のアクセスネットワークデバイス。
【請求項６】
前記受信機は、前記コアネットワークデバイスによって送信されたリンギング情報を受信する前に、前記着呼側ユーザ機器が通信する前記ターゲット無線ネットワークコントローラによって送信された前記リンギング情報を受信するように更に構成されており、
前記送信機は、前記コアネットワークデバイスによって送信された前記リンギング情報を前記受信機が受信する前に、前記リンギング情報を前記発呼側ユーザ機器に送信するように更に構成されている、請求項２又は５に記載のアクセスネットワークデバイス。
【請求項７】
前記プロセッサが、コアネットワークデバイスによって送信されたページングメッセージを前記受信機が受信する前に、前記ユーザ通信識別子に基づいてページングリクエストを生成するように構成されている、ということは、
前記プロセッサが、前記コールリクエストにおいて搬送される前記着呼側ユーザ機器の前記ユーザ通信識別子に基づいて、前記コアネットワークデバイスによって送信された前記ページングメッセージを前記受信機が受信する前に、前記着呼側ユーザ機器の接続状態情報を取得し、前記接続状態情報に対応するページングリクエストタイプを判定するように構成されている、ということを含み、前記ページングリクエストは前記ページングリクエストタイプのものである、請求項１から６のいずれか一項に記載のアクセスネットワークデバイス。
【請求項８】
アクセスネットワークデバイスであって、
発呼側ユーザ機器が通信する発呼側無線ネットワークコントローラによって送信された着呼側ユーザ機器のユーザ通信識別子を受信するように構成されている受信機と、
コアネットワークデバイスによって送信されたページングメッセージを前記受信機が受信する前に、前記ユーザ通信識別子に基づいてページングリクエストを生成するように構成されたプロセッサであって、前記ページングリクエストに基づいて前記着呼側ユーザ機器へのシグナリング接続を設定するように更に構成されているプロセッサと、
前記プロセッサによって生成された前記ページングリクエストを前記着呼側ユーザ機器に送信するように構成されている送信機とを備える、アクセスネットワークデバイス。
【請求項９】
前記受信機は、前記コアネットワークデバイスによって送信された命令であって、前記着呼側ユーザ機器への無線サービスベアラ接続を設定するように当該アクセスネットワークデバイスに命じる命令を受信するように更に構成されており、
前記プロセッサは、前記コアネットワークデバイスによって送信された、無線サービスベアラ接続を設定する前記命令を前記受信機が受信する前に無線サービスベアラ接続メッセージを生成するように更に構成されており、
前記送信機は、前記プロセッサによって生成された前記無線サービスベアラ接続メッセージを前記着呼側ユーザ機器に送信するように更に構成されており、
前記プロセッサは、前記無線サービスベアラ接続メッセージに基づいて、前記着呼側ユーザ機器への無線サービスベアラ接続を設定するように更に構成されている、請求項８に記載のアクセスネットワークデバイス。
【請求項１０】
前記受信機は、前記着呼側ユーザ機器によって送信されたリンギング情報を受信するように更に構成されており、
前記送信機は、前記リンギング情報を前記コアネットワークデバイスに送信する前に、又は、送信するときに、前記リンギング情報を前記発呼側無線ネットワークコントローラに送信するように更に構成されており、当該アクセスネットワークデバイスは、前記着呼側ユーザ機器が通信するターゲット無線ネットワークコントローラである、請求項８又は９に記載のアクセスネットワークデバイス。
【請求項１１】
通信方法であって、
アクセスネットワークデバイスによって、発呼側ユーザ機器によって送信されたコールリクエストを受信するステップであって、前記コールリクエストは着呼側ユーザ機器のユーザ通信識別子を搬送する、ステップと、
コアネットワークデバイスによって送信されたページングメッセージを前記アクセスネットワークデバイスが受信する前に、前記アクセスネットワークデバイスによって、前記ユーザ通信識別子に基づいて、ページングリクエストを生成するステップと、
前記アクセスネットワークデバイスによって、前記の生成されたページングリクエストを前記着呼側ユーザ機器に送信するステップと、
前記アクセスネットワークデバイスによって、前記ページングリクエストに基づいて、前記着呼側ユーザ機器へのシグナリング接続を設定するステップとを含む、通信方法。
【請求項１２】
前記アクセスネットワークデバイスによって、前記の生成されたページングリクエストを前記着呼側ユーザ機器に送信する前記ステップは、
前記アクセスネットワークデバイスによって、前記ユーザ通信識別子に基づいて、前記着呼側ユーザ機器が通信するターゲット無線ネットワークコントローラを判定するステップと、
前記着呼側ユーザ機器が通信する前記ターゲット無線ネットワークコントローラと前記発呼側ユーザ機器が通信する発呼側無線ネットワークコントローラとが同じ無線ネットワークコントローラであるときに、前記アクセスネットワークデバイスによって、前記の生成されたページングリクエストを前記着呼側ユーザ機器に送信するステップであって、前記アクセスネットワークデバイスが前記発呼側無線ネットワークコントローラである、ステップとを含む、請求項１１に記載の通信方法。
【請求項１３】
前記アクセスネットワークデバイスによって、前記ページングリクエストに基づいて、前記着呼側ユーザ機器へのシグナリング接続を設定する前記ステップの後に、
前記コアネットワークデバイスによって送信されたリンギング情報を前記アクセスネットワークデバイスが受信する前に、前記アクセスネットワークデバイスによって、前記着呼側ユーザ機器によって送信された前記リンギング情報を受信するステップと、
前記コアネットワークデバイスによって送信された前記リンギング情報を前記アクセスネットワークデバイスが受信する前に、前記アクセスネットワークデバイスによって、前記リンギング情報を前記発呼側ユーザ機器に送信するステップとを更に含む、請求項１１又は１２に記載の通信方法。
【請求項１４】
前記アクセスネットワークデバイスによって、前記ページングリクエストに基づいて、前記着呼側ユーザ機器へのシグナリング接続を設定する前記ステップの後に、
前記コアネットワークデバイスによって送信された命令であって、前記着呼側ユーザ機器への無線サービスベアラ接続を設定するように前記アクセスネットワークデバイスに命じる命令を前記アクセスネットワークデバイスが受信する前に、前記アクセスネットワークデバイスによって、無線サービスベアラ接続メッセージを生成するステップと、
前記アクセスネットワークデバイスによって、前記の生成された無線サービスベアラ接続メッセージを前記着呼側ユーザ機器に送信するステップと、
前記アクセスネットワークデバイスによって、前記無線サービスベアラ接続メッセージに基づいて、前記着呼側ユーザ機器への無線サービスベアラ接続を設定するステップとを更に含む、請求項１１から１３のいずれか一項に記載の通信方法。
【請求項１５】
前記アクセスネットワークデバイスによって、前記の生成されたページングリクエストを前記着呼側ユーザ機器に送信する前記ステップは、
前記アクセスネットワークデバイスによって、前記ユーザ通信識別子に基づいて、前記着呼側ユーザ機器が通信するターゲット無線ネットワークコントローラを判定するステップと、
前記着呼側ユーザ機器が通信する前記ターゲット無線ネットワークコントローラと前記発呼側ユーザ機器が通信する発呼側無線ネットワークコントローラとが同じ無線ネットワークコントローラでないときに、前記アクセスネットワークデバイスによって、前記の生成されたページングリクエストを前記ターゲット無線ネットワークコントローラに送信し、次に、前記ターゲット無線ネットワークコントローラを用いることにより、前記ページングリクエストを前記着呼側ユーザ機器に送信するステップであって、前記アクセスネットワークデバイスが前記発呼側無線ネットワークコントローラである、ステップとを含む、請求項１１に記載の通信方法。
【請求項１６】
前記アクセスネットワークデバイスによって、前記ページングリクエストに基づいて、前記着呼側ユーザ機器へのシグナリング接続を設定する前記ステップの後に、
前記コアネットワークデバイスによって送信されたリンギング情報を前記アクセスネットワークデバイスが受信する前に、前記アクセスネットワークデバイスによって、前記着呼側ユーザ機器が通信する前記ターゲット無線ネットワークコントローラによって送信された前記リンギング情報を受信するステップと、
前記コアネットワークデバイスによって送信された前記リンギング情報を前記アクセスネットワークデバイスが受信する前に、前記リンギング情報を前記発呼側ユーザ機器に送信するステップとを更に含む、請求項１２又は１５に記載の通信方法。
【請求項１７】
前記アクセスネットワークデバイスによって、前記ユーザ通信識別子に基づいて、ページングリクエストを生成する前記ステップは、
前記アクセスネットワークデバイスによって、前記ユーザ通信識別子に基づいて、前記着呼側ユーザ機器の接続状態情報を取得するステップと、
前記アクセスネットワークデバイスによって、前記接続状態情報に対応するページングリクエストタイプを判定するステップと、
前記アクセスネットワークデバイスによって、前記ユーザ通信識別子に基づいて、前記ページングリクエストを生成するステップであって、前記ページングリクエストは前記ページングリクエストタイプのものである、ステップとを含む、請求項１１から１６のいずれか一項に記載の通信方法。
【請求項１８】
通信方法であって、
アクセスネットワークデバイスによって、発呼側ユーザ機器が通信する発呼側無線ネットワークコントローラによって送信された着呼側ユーザ機器のユーザ通信識別子を受信するステップと、
コアネットワークデバイスによって送信されたページングメッセージを前記アクセスネットワークデバイスが受信する前に、前記アクセスネットワークデバイスによって、前記ユーザ通信識別子に基づいて、ページングリクエストを生成するステップと、
前記アクセスネットワークデバイスによって、前記の生成されたページングリクエストを前記着呼側ユーザ機器に送信するステップと、
前記アクセスネットワークデバイスによって、前記ページングリクエストに基づいて、前記着呼側ユーザ機器へのシグナリング接続を設定するステップとを含む、通信方法。
【請求項１９】
前記アクセスネットワークデバイスによって、前記ページングリクエストに基づいて、前記着呼側ユーザ機器へのシグナリング接続を設定する前記ステップの後に、
前記コアネットワークデバイスによって送信された命令であって、前記着呼側ユーザ機器への無線サービスベアラ接続を設定するように前記アクセスネットワークデバイスに命じる命令を前記アクセスネットワークデバイスが受信する前に、前記アクセスネットワークデバイスによって、無線サービスベアラ接続メッセージを生成するステップと、
前記アクセスネットワークデバイスによって、前記の生成された無線サービスベアラ接続メッセージを前記着呼側ユーザ機器に送信するステップと、
前記アクセスネットワークデバイスによって、前記無線サービスベアラ接続メッセージに基づいて、前記着呼側ユーザ機器への無線サービスベアラ接続を設定するステップとを更に含む、請求項１８に記載の通信方法。
【請求項２０】
前記アクセスネットワークデバイスによって、前記ページングリクエストに基づいて、前記着呼側ユーザ機器へのシグナリング接続を設定する前記ステップの後に、
前記アクセスネットワークデバイスによって、前記着呼側ユーザ機器によって送信されたリンギング情報を受信するステップと、
前記アクセスネットワークデバイスが前記リンギング情報を前記コアネットワークデバイスに送信する前に、及び、送信するときに、前記アクセスネットワークデバイスによって、前記リンギング情報を前記発呼側無線ネットワークコントローラに送信するステップであって、前記アクセスネットワークデバイスは、前記着呼側ユーザ機器が通信するターゲット無線ネットワークコントローラである、ステップとを更に含む、請求項１８又は１９に記載の通信方法。
【発明の詳細な説明】
【技術分野】
【０００１】
本発明は、通信の分野に関し、詳細には、アクセスネットワークデバイス及び通信方法に関する。
【背景技術】
【０００２】
モバイル通信ネットワークでは、発呼側ユーザ機器と着呼側ユーザ機器との音声サービス設定遅延が、オペレータと端末ユーザとの両者によって極端に注目される指標の１つであり、ここで、音声サービス設定遅延は、主に、発呼側ユーザ機器がコールリクエストを開始する時刻と発呼側ユーザ機器がリンギング情報を受信する時刻との間の差のことを指す。
【０００３】
既存のモバイル通信ネットワークにおいて、発呼側ユーザ機器が着呼側ユーザ機器との音声サービスを設定するときに、コアネットワークデバイスが、アクセスネットワークデバイスの報告された情報に従って、命令を、アクセスネットワークデバイスに供給する必要があり、次に、アクセスネットワークデバイスが、受信された命令に基づいて、着呼側ユーザ機器へのシグナリング接続又は無線サービスベアラ接続を設定するとともに、着呼側ユーザ機器によって送信されたリンギング情報も、最初に、アクセスネットワークデバイスを用いることによって、コアネットワークデバイスにアップロードされ、次に、アクセスネットワークデバイスを用いることによって、コアネットワークデバイスにより、発呼側ユーザ機器に供給される必要がある。
【発明の概要】
【０００４】
しかしながら、既存の通信システムでは、発呼側ユーザ機器（User  Equipment、ＵＥ）と着呼側ＵＥとの間の音声サービスを設定するプロセスにおける情報交換のために、アクセスネットワーク−コアネットワーク−アクセスネットワークという態様でのシリアル処理が実行される必要があり、その結果、音声サービス設定遅延が比較的長く、それが、ユーザのサービス経験に影響する。
【０００５】
本発明は、アクセスネットワークデバイス及び通信方法を提供し、それにより、比較的長い音声サービス設定遅延のためにユーザのサービス経験が影響を受けるという従来技術における技術的課題を解決する。
【０００６】
第１の態様によると、アクセスネットワークデバイスが提供され、アクセスネットワークデバイスは、
発呼側ユーザ機器によって送信されたコールリクエストを受信するように構成された受信機であって、コールリクエストは着呼側ユーザ機器のユーザ通信識別子を搬送する、受信機と、
コアネットワークデバイスによって送信されたページングメッセージを受信機が受信する前に、ユーザ通信識別子に基づいてページングリクエストを生成するように構成されたプロセッサであって、ページングリクエストに基づいて、着呼側ユーザ機器へのシグナリング接続を設定するように更に構成されているプロセッサと、
プロセッサによって生成されたページングリクエストを着呼側ユーザ機器に送信するように構成された送信機とを含む。
【０００７】
第１の態様を参照すると、第１の可能な実装様態では、プロセッサは、ユーザ通信識別子に基づいて、着呼側ユーザ機器が通信するターゲット無線ネットワークコントローラを判定するように更に構成されており、
送信機が、プロセッサによって生成されたページングリクエストを着呼側ユーザ機器に送信するように構成されている、ということは、
送信機が、着呼側ユーザ機器が通信するターゲット無線ネットワークコントローラと発呼側ユーザ機器が通信する発呼側無線ネットワークコントローラとが同じ無線ネットワークコントローラであるときに、プロセッサによって生成されたページングリクエストを着呼側ユーザ機器に送信するように構成されている、ということを含み、
アクセスネットワークデバイスは、発呼側無線ネットワークコントローラである。
【０００８】
第１の態様又は第１の態様の第１の可能な実装様態を参照すると、第２の可能な実装様態では、受信機は、コアネットワークデバイスによって送信されたリンギング情報を受信する前に、着呼側ユーザ機器によって送信されたリンギング情報を受信するように更に構成されており、
送信機は、コアネットワークデバイスによって送信されたリンギング情報を受信機が受信する前に、リンギング情報を発呼側ユーザ機器に送信するように更に構成されている。
【０００９】
第１の態様又は第１の態様の第１の若しくは第２の可能な実装様態を参照すると、第３の可能な実装様態では、受信機は、コアネットワークデバイスによって送信された命令であって、着呼側ユーザ機器への無線サービスベアラ接続を設定するようにアクセスネットワークデバイスに命じる命令を受信するように更に構成されており、
プロセッサは、着呼側ユーザ機器へのシグナリング接続を設定し、無線サービスベアラ接続を設定する命令を受信機が受信する前に無線サービスベアラ接続メッセージを生成するように更に構成されており、
送信機は、プロセッサによって生成された無線サービスベアラ接続メッセージを着呼側ユーザ機器に送信するように更に構成されており、
プロセッサは、無線サービスベアラ接続メッセージに基づいて、着呼側ユーザ機器への無線サービスベアラ接続を設定するように更に構成されている。
【００１０】
第１の態様を参照すると、第４の可能な実装様態では、プロセッサは、ユーザ通信識別子に基づいて、着呼側ユーザ機器が通信するターゲット無線ネットワークコントローラを判定するように更に構成されており、
送信機が、プロセッサによって生成されたページングリクエストを着呼側ユーザ機器に送信するように構成されている、ということは、
送信機が、着呼側ユーザ機器が通信するターゲット無線ネットワークコントローラと発呼側ユーザ機器が通信する発呼側無線ネットワークコントローラとが同じ無線ネットワークコントローラでないときに、プロセッサによって生成されたページングリクエストをターゲット無線ネットワークコントローラに送信し、ページングリクエストが、次に、ターゲット無線ネットワークコントローラを用いることによって着呼側ユーザ機器に送信される、ように構成されている、ということを含み、
アクセスネットワークデバイスは、発呼側無線ネットワークコントローラである。
【００１１】
第１の態様又は第１の態様の第４の可能な実装様態を参照すると、第５の可能な実装様態では、受信機は、コアネットワークデバイスによって送信されたリンギング情報を受信する前に、着呼側ユーザ機器が通信するターゲット無線ネットワークコントローラによって送信されたリンギング情報を受信するように更に構成されており、
送信機は、コアネットワークデバイスによって送信されたリンギング情報を受信機が受信する前に、リンギング情報を発呼側ユーザ機器に送信するように更に構成されている。
【００１２】
第１の態様又は第１の態様の第１の可能な実装様態から第５の可能な実装様態のうちのいずれか１つを参照すると、第６の可能な実装様態では、プロセッサが、コアネットワークデバイスによって送信されたページングメッセージを受信機が受信する前に、ユーザ通信識別子に基づいてページングリクエストを生成するように構成されている、ということは、
プロセッサが、コールリクエストにおいて搬送される着呼側ユーザ機器のユーザ通信識別子に基づいて、コアネットワークデバイスによって送信されたページングメッセージを受信機が受信する前に、着呼側ユーザ機器の接続状態情報を取得し、接続状態情報に対応するページングリクエストタイプを判定するように構成されている、ということを含み、ページングリクエストはページングリクエストタイプのものである。
【００１３】
第２の態様によると、アクセスネットワークデバイスが提供され、アクセスネットワークデバイスは、
発呼側ユーザ機器が通信する発呼側無線ネットワークコントローラによって送信された着呼側ユーザ機器のユーザ通信識別子を受信するように構成されている受信機と、
コアネットワークデバイスによって送信されたページングメッセージを受信機が受信する前に、ユーザ通信識別子に基づいてページングリクエストを生成するように構成されたプロセッサであって、ページングリクエストに基づいて着呼側ユーザ機器へのシグナリング接続を設定するように更に構成されているプロセッサと、
プロセッサによって生成されたページングリクエストを着呼側ユーザ機器に送信するように構成されている送信機とを含む。
【００１４】
第２の態様を参照すると、第１の可能な実装様態では、受信機は、コアネットワークデバイスによって送信された命令であって、着呼側ユーザ機器への無線サービスベアラ接続を設定するようにアクセスネットワークデバイスに命じる命令を受信するように更に構成されており、
プロセッサは、コアネットワークデバイスによって送信された、無線サービスベアラ接続を設定する命令を受信機が受信する前に無線サービスベアラ接続メッセージを生成するように更に構成されており、
送信機は、プロセッサによって生成された無線サービスベアラ接続メッセージを着呼側ユーザ機器に送信するように更に構成されており、
プロセッサは、無線サービスベアラ接続メッセージに基づいて、着呼側ユーザ機器への無線サービスベアラ接続を設定するように更に構成されている。
【００１５】
第２の態様又は第２の態様の第１の可能な実装様態を参照すると、第２の可能な実装様態では、受信機は、着呼側ユーザ機器によって送信されたリンギング情報を受信するように更に構成されており、
送信機は、リンギング情報をコアネットワークデバイスに送信する前に、又は、送信するときに、リンギング情報を発呼側無線ネットワークコントローラに送信するように更に構成されており、アクセスネットワークデバイスは、着呼側ユーザ機器が通信するターゲット無線ネットワークコントローラである。
【００１６】
第３の態様によると、通信方法が提供され、方法は、
アクセスネットワークデバイスによって、発呼側ユーザ機器によって送信されたコールリクエストを受信するステップであって、コールリクエストは着呼側ユーザ機器のユーザ通信識別子を搬送する、ステップと、
コアネットワークデバイスによって送信されたページングメッセージをアクセスネットワークデバイスが受信する前に、アクセスネットワークデバイスによって、ユーザ通信識別子に基づいて、ページングリクエストを生成するステップと、
アクセスネットワークデバイスによって、生成されたページングリクエストを着呼側ユーザ機器に送信するステップと、
アクセスネットワークデバイスによって、ページングリクエストに基づいて、着呼側ユーザ機器へのシグナリング接続を設定するステップとを含む。
【００１７】
第３の態様を参照すると、第１の可能な実装様態では、アクセスネットワークデバイスによって、生成されたページングリクエストを着呼側ユーザ機器に送信するステップは、
アクセスネットワークデバイスによって、ユーザ通信識別子に基づいて、着呼側ユーザ機器が通信するターゲット無線ネットワークコントローラを判定するステップと、
着呼側ユーザ機器が通信するターゲット無線ネットワークコントローラと発呼側ユーザ機器が通信する発呼側無線ネットワークコントローラとが同じ無線ネットワークコントローラであるときに、アクセスネットワークデバイスによって、生成されたページングリクエストを着呼側ユーザ機器に送信するステップであって、アクセスネットワークデバイスが発呼側無線ネットワークコントローラである、ステップとを含む。
【００１８】
第３の態様又は第３の態様の第１の可能な実装様態を参照すると、第２の可能な実装様態では、アクセスネットワークデバイスによって、ページングリクエストに基づいて、着呼側ユーザ機器へのシグナリング接続を設定するステップの後に、方法は、
コアネットワークデバイスによって送信されたリンギング情報をアクセスネットワークデバイスが受信する前に、アクセスネットワークデバイスによって、着呼側ユーザ機器によって送信されたリンギング情報を受信するステップと、
コアネットワークデバイスによって送信されたリンギング情報をアクセスネットワークデバイスが受信する前に、アクセスネットワークデバイスによって、リンギング情報を発呼側ユーザ機器に送信するステップとを更に含む。
【００１９】
第３の態様又は第３の態様の第２の可能な実装様態を参照すると、第３の可能な実装様態では、アクセスネットワークデバイスによって、ページングリクエストに基づいて、着呼側ユーザ機器へのシグナリング接続を設定するステップの後に、方法は、
コアネットワークデバイスによって送信された命令であって、着呼側ユーザ機器への無線サービスベアラ接続を設定するようにアクセスネットワークデバイスに命じる命令をアクセスネットワークデバイスが受信する前に、アクセスネットワークデバイスによって、無線サービスベアラ接続メッセージを生成するステップと、
アクセスネットワークデバイスによって、生成された無線サービスベアラ接続メッセージを着呼側ユーザ機器に送信するステップと、
アクセスネットワークデバイスによって、無線サービスベアラ接続メッセージに基づいて、着呼側ユーザ機器への無線サービスベアラ接続を設定するステップとを更に含む。
【００２０】
第３の態様を参照すると、第４の可能な実装様態では、アクセスネットワークデバイスによって、生成されたページングリクエストを着呼側ユーザ機器に送信するステップは、
アクセスネットワークデバイスによって、ユーザ通信識別子に基づいて、着呼側ユーザ機器が通信するターゲット無線ネットワークコントローラを判定するステップと、
着呼側ユーザ機器が通信するターゲット無線ネットワークコントローラと発呼側ユーザ機器が通信する発呼側無線ネットワークコントローラとが同じ無線ネットワークコントローラでないときに、アクセスネットワークデバイスによって、生成されたページングリクエストをターゲット無線ネットワークコントローラに送信し、次に、ターゲット無線ネットワークコントローラを用いることにより、ページングリクエストを着呼側ユーザ機器に送信するステップであって、アクセスネットワークデバイスが発呼側無線ネットワークコントローラである、ステップとを含む。
【００２１】
第３の態様又は第３の態様の第４の可能な実装様態を参照すると、第５の可能な実装様態では、アクセスネットワークデバイスによって、ページングリクエストに基づいて、着呼側ユーザ機器へのシグナリング接続を設定するステップの後に、方法は、
コアネットワークデバイスによって送信されたリンギング情報をアクセスネットワークデバイスが受信する前に、アクセスネットワークデバイスによって、着呼側ユーザ機器が通信するターゲット無線ネットワークコントローラによって送信されたリンギング情報を受信するステップと、
コアネットワークデバイスによって送信されたリンギング情報をアクセスネットワークデバイスが受信する前に、リンギング情報を発呼側ユーザ機器に送信するステップとを更に含む。
【００２２】
第３の態様又は第３の態様の第１の可能な実装様態から第５の可能な実装様態のうちのいずれか１つを参照すると、第６の可能な実装様態では、アクセスネットワークデバイスによって、ユーザ通信識別子に基づいて、ページングリクエストを生成するステップは、
アクセスネットワークデバイスによって、ユーザ通信識別子に基づいて、着呼側ユーザ機器の接続状態情報を取得するステップと、
アクセスネットワークデバイスによって、接続状態情報に対応するページングリクエストタイプを判定するステップと、
アクセスネットワークデバイスによって、着呼側ユーザ通信識別子に基づいて、ページングリクエストを生成するステップであって、ページングリクエストはページングリクエストタイプのものである、ステップとを含む。
【００２３】
第４の態様によると、通信方法が提供され、方法は、
アクセスネットワークデバイスによって、発呼側ユーザ機器が通信する発呼側無線ネットワークコントローラによって送信された着呼側ユーザ機器のユーザ通信識別子を受信するステップと、
コアネットワークデバイスによって送信されたページングメッセージをアクセスネットワークデバイスが受信する前に、アクセスネットワークデバイスによって、ユーザ通信識別子に基づいて、ページングリクエストを生成するステップと、
アクセスネットワークデバイスによって、生成されたページングリクエストを着呼側ユーザ機器に送信するステップと、
アクセスネットワークデバイスによって、ページングリクエストに基づいて、着呼側ユーザ機器へのシグナリング接続を設定するステップとを含む。
【００２４】
第４の態様によると、第１の可能な実装様態では、アクセスネットワークデバイスによって、ページングリクエストに基づいて、着呼側ユーザ機器へのシグナリング接続を設定するステップの後に、方法は、
コアネットワークデバイスによって送信された命令であって、着呼側ユーザ機器への無線サービスベアラ接続を設定するようにアクセスネットワークデバイスに命じる命令をアクセスネットワークデバイスが受信する前に、アクセスネットワークデバイスによって、無線サービスベアラ接続メッセージを生成するステップと、
アクセスネットワークデバイスによって、生成された無線サービスベアラ接続メッセージを着呼側ユーザ機器に送信するステップと、
アクセスネットワークデバイスによって、無線サービスベアラ接続メッセージに基づいて、着呼側ユーザ機器への無線サービスベアラ接続を設定するステップとを更に含む。
【００２５】
第４の態様又は第４の態様の第１の可能な実装様態を参照すると、第２の可能な実装様態では、アクセスネットワークデバイスによって、ページングリクエストに基づいて、着呼側ユーザ機器へのシグナリング接続を設定するステップの後に、方法は、
アクセスネットワークデバイスによって、着呼側ユーザ機器によって送信されたリンギング情報を受信するステップと、
アクセスネットワークデバイスがリンギング情報をコアネットワークデバイスに送信する前に、及び、送信するときに、アクセスネットワークデバイスによって、リンギング情報を発呼側無線ネットワークコントローラに送信するステップであって、アクセスネットワークデバイスは、着呼側ユーザ機器が通信するターゲット無線ネットワークコントローラである、ステップとを更に含む。
【００２６】
本発明の実施形態では、アクセスネットワークデバイスは、コアネットワークデバイスの命令を受信する前に、メッセージを同時に発呼側ユーザ機器又は着呼側ユーザ機器に対してアクティブに供給し、それは、音声サービス設定遅延を短縮するという技術的効果を達成する。
【００２７】
本発明の実施形態における又は従来技術における技術的解決手段をより明確に説明するために、下記は、実施形態を説明するのに要求される添付の図面を簡潔に紹介する。明らかに、下記の説明における添付の図面は、本発明のいくつかの実施形態を示しており、当業者は、創造的努力を払うことなく、これらの添付の図面から他の図面を更に導き得る。
【図面の簡単な説明】
【００２８】
【図１】本発明の一実施形態による、通信方法に対応するシステムの概略図である。
【図２】本発明の一実施形態による、アクセスネットワークデバイスの概略的な構造図である。
【図３】本発明の一実施形態による、通信方法のフローチャートである。
【図４】本発明の一実施形態による、発呼側ユーザ機器と着呼側ユーザ機器とが同じ無線ネットワークコントローラに配置されているときに音声サービスを設定するフローチャートである。
【図５】本発明の一実施形態による、発呼側ユーザ機器と着呼側ユーザ機器とが異なった無線ネットワークコントローラに配置されているときに音声サービスを設定するフローチャートである。
【図６】本発明の別の実施形態による、アクセスネットワークデバイスの概略的な構造図である。
【図７】本発明の別の実施形態による、通信方法のフローチャートである。
【図８】本発明の更に別の実施形態による、アクセスネットワークデバイスの概略的な構造図である。
【図９】本発明の更に別の実施形態による、通信方法のフローチャートである。
【図１０】本発明のまた別の実施形態による、アクセスネットワークデバイスの概略的な構造図である。
【図１１】本発明のまた別の実施形態による、通信方法のフローチャートである。
【図１２】本発明の更にまた別の実施形態による、アクセスネットワークデバイスの概略的な構造図である。
【図１３】本発明の更にまた別の実施形態による、通信方法のフローチャートである。
【図１４】本発明の更なる実施形態による、アクセスネットワークデバイスの概略的な構造図である。
【図１５】本発明の更なる実施形態による、通信方法のフローチャートである。
【発明を実施するための形態】
【００２９】
本発明の実施形態の目的、技術的解決手段、及び効果をより明確にするため、下記は、本発明の実施形態における添付の図面を参照して、本発明の実施形態における技術的解決手段を明確に説明する。明らかに、説明される実施形態は、本発明の実施形態の一部ではあるが、全体ではない。本発明の実施形態に基づき創造的努力を払うことなく当業者によって獲得されるすべての他の実施形態は、本発明の保護範囲に含まれるものとする。
【００３０】
本発明の実施形態が紹介される前に、本発明の実施形態における通信方法に対応するシステムが、最初に紹介される。図１に示されているように、図１は、本発明における通信方法を実施するのに用いられる通信システムを示しており、システムは、発呼側ユーザ機器１０１と、着呼側ユーザ機器１０２と、アクセスネットワークデバイスと、コアネットワークデバイス１０３とを含む。アクセスネットワークデバイスは、発呼側ユーザ機器１０２が通信する発呼側無線ネットワークコントローラ１０４であり得るとともに、着呼側ユーザ機器１０１が通信するターゲット無線ネットワークコントローラ１０５でもあり得る。通信システムは、具体的には、ユニバーサルモバイルテレコミュニケーションシステム（Universal  Mobile  Telecommunications  System、ＵＭＴＳ）に基づく通信システム、モバイル通信のためのグローバルシステム（Global  System  For  Mobile  Communication、ＧＳＭ）に基づく通信システム、ロングタームエボリューション（Long  Term  Evolution、ＬＴＥ）に基づく通信システム、符号分割多元アクセス（Code  Division  Multiple  Access、ＣＤＭＡ）に基づく通信システム、時分割同期符号分割多元アクセス（Time  Division-Synchronous  Code  Division  Multiple  Access、ＴＤ−ＳＣＤＭＡ）に基づく通信システムなどであり得るが、それは、本出願では限定されない。
【００３１】
実施形態１
この実施形態は、アクセスネットワークデバイスを提供し、図２に示されているように、アクセスネットワークデバイスは、
発呼側ユーザ機器によって送信されたコールリクエストを受信するように構成された受信機であって、コールリクエストは着呼側ユーザ機器のユーザ通信識別子を搬送する、受信機２０１と、
コアネットワークデバイスによって送信されたページングメッセージを受信機２０１が受信する前に、ユーザ通信識別子に基づいてページングリクエストを生成するように構成されたプロセッサであって、ページングリクエストに基づいて、着呼側ユーザ機器へのシグナリング接続を設定するように更に構成されているプロセッサ２０３と、
プロセッサ２０３によって生成されたページングリクエストを着呼側ユーザ機器に送信するように構成された送信機２０２とを含む。
【００３２】
特定の接続関係は、受信機２０１はプロセッサ２０３に接続され、送信機２０２もまたプロセッサ２０３に接続される、というものである。
【００３３】
発呼側ユーザ機器によって送信されたコールリクエストを受信した後で、アクセスネットワークデバイスは、着呼側ユーザ機器をアクティブにページングし、それにより、コアネットワークデバイスがページングメッセージを供給する前に、着呼側ユーザ機器へのシグナリング接続の設定を開始し、それは、アクセスネットワークデバイスがコアネットワークデバイスに報告する時刻とコアネットワークデバイスがページングメッセージをアクセスネットワークデバイスに供給する時刻との間の継続時間を節約し、それによって、音声サービス設定遅延を短縮するという技術的効果を達成する。
【００３４】
実施形態１において紹介されたアクセスネットワークデバイスは、発呼側ユーザ機器が通信する発呼側無線ネットワークコントローラである。
【００３５】
下記の説明では、アクセスネットワークデバイスは、発呼側無線ネットワークコントローラとして用いられ、２つの場合、すなわち、発呼側無線ネットワークコントローラと着呼側ユーザ機器が通信するターゲット無線ネットワークコントローラとが同じコントローラである場合と、発呼側無線ネットワークコントローラとターゲット無線ネットワークコントローラとが異なるコントローラである場合とが、別々に説明される。
【００３６】
第１の場合は、発呼側無線ネットワークコントローラとターゲット無線ネットワークコントローラとが同じコントローラである場合である。
【００３７】
この実施形態では、プロセッサ２０３は、ユーザ通信識別子に基づいて、着呼側ユーザ機器が通信するターゲット無線ネットワークコントローラを判定するように更に構成されており、
送信機２０２は、着呼側ユーザ機器が通信するターゲット無線ネットワークコントローラと発呼側ユーザ機器が通信する発呼側無線ネットワークコントローラとが同じ無線ネットワークコントローラであるときに、プロセッサ２０３によって生成されたページングリクエストを着呼側ユーザ機器に送信するように構成されている。
【００３８】
この実施形態では、受信機２０１は、コアネットワークデバイスによって送信された命令であって、着呼側ユーザ機器への無線サービスベアラ接続を設定するようにアクセスネットワークデバイスに命じる命令を受信するように更に構成されており、
プロセッサ２０３は、着呼側ユーザ機器へのシグナリング接続を設定し、無線サービスベアラ接続を設定する命令を受信機２０１が受信する前に無線サービスベアラ接続メッセージを生成するように更に構成されており、
送信機２０２は、プロセッサ２０３によって生成された無線サービスベアラ接続メッセージを着呼側ユーザ機器に送信するように更に構成されており、
プロセッサ２０３は、無線サービスベアラ接続メッセージに基づいて、着呼側ユーザ機器への無線サービスベアラ接続を設定するように更に構成されている。
【００３９】
特に、アクセスネットワークデバイスは、着呼側ユーザ機器へのシグナリング接続をアクセスネットワークデバイスが設定したことを検出した後で、アクセスネットワークデバイスは、無線サービスベアラ接続メッセージをアクティブに生成し、無線サービスベアラ接続メッセージを着呼側ユーザ機器に送信し、それにより、着呼側ユーザ機器への無線サービスベアラ接続を設定するようにコアネットワークデバイスがアクセスネットワークデバイスに命じる前に、着呼側ユーザ機器への無線サービスベアラ接続の設定を開始し、それは、アクセスネットワークデバイスがコアネットワークデバイスに報告する時刻とコアネットワークデバイスが着呼側ユーザ機器への無線サービスベアラ接続を設定するようにアクセスネットワークデバイスに命じる時刻との間の時間を節約し、それによって、音声サービス設定遅延を短縮するという技術的効果を達成する。
【００４０】
この実施形態では、受信機２０１は、コアネットワークデバイスによって送信されたリンギング情報を受信する前に、着呼側ユーザ機器によって送信されたリンギング情報を受信するように更に構成されており、
送信機２０２は、コアネットワークデバイスによって送信されたリンギング情報を受信機２０１が受信する前に、リンギング情報を発呼側ユーザ機器に送信するように更に構成されている。
【００４１】
特に、着呼側ユーザ機器によって送信されたリンギング情報を受信するときに、アクセスネットワークデバイスは、コアネットワークデバイスがリンギング情報を供給する前に、リンギング情報を発呼側ユーザ機器にアクティブに送信し、それは、アクセスネットワークデバイスがコアネットワークデバイスにリンギング情報をアップロードする時刻とコアネットワークデバイスがリンギング情報をアクセスネットワークデバイスに供給する時刻との間の時間を節約し、それによって、音声サービス設定遅延を短縮するという技術的効果を達成する。
【００４２】
第２の場合は、発呼側無線ネットワークコントローラとターゲット無線ネットワークコントローラとが異なるコントローラである場合である。
【００４３】
この実施形態では、プロセッサ２０３は、ユーザ通信識別子に基づいて、着呼側ユーザ機器が通信するターゲット無線ネットワークコントローラを判定するように更に構成されており、
送信機２０２が、プロセッサ２０３によって生成されたページングリクエストを着呼側ユーザ機器に送信するように構成されている、ということは、
送信機２０２が、着呼側ユーザ機器が通信するターゲット無線ネットワークコントローラと発呼側ユーザ機器が通信する発呼側無線ネットワークコントローラとが同じ無線ネットワークコントローラでないときに、プロセッサ２０３によって生成されたページングリクエストをターゲット無線ネットワークコントローラに送信し、ページングリクエストが、次に、ターゲット無線ネットワークコントローラを用いることによって、着呼側ユーザ機器に送信されるように構成されている、ということを含む。
【００４４】
この実施形態において、受信機２０１は、コアネットワークデバイスによって送信されたリンギング情報を受信する前に、着呼側ユーザ機器が通信するターゲット無線ネットワークコントローラによって送信されたリンギング情報を受信するように更に構成されており、
送信機２０２は、コアネットワークデバイスによって送信されたリンギング情報を受信機２０１が受信する前に、リンギング情報を発呼側ユーザ機器に送信するように更に構成されている。
【００４５】
特に、ターゲット無線ネットワークコントローラによって送信されたリンギング情報を受信した後で、アクセスネットワークデバイスは、コアネットワークデバイスがリンギング情報を供給する前に、リンギング情報を発呼側ユーザ機器にアクティブに送信し、それは、コアネットワークデバイスがリンギング情報を供給する待機時間を節約し、それによって、音声サービス設定遅延を短縮するという技術的効果を達成する。
【００４６】
この実施形態では、前述の第１の場合と第２の場合との両方に適用可能であるのは、プロセッサ２０３が、コアネットワークデバイスによって送信されたページングメッセージを受信機２０１が受信する前に、ユーザ通信識別子に基づいてページングリクエストを生成するように構成されている、ということが、
プロセッサ２０３が、コールリクエストにおいて搬送される着呼側ユーザ機器のユーザ通信識別子に基づいて、コアネットワークデバイスによって送信されたページングメッセージを受信機２０１が受信する前に、着呼側ユーザ機器の接続状態情報を取得し、接続状態情報に対応するページングリクエストタイプを判定するように構成されている、ということを含み、ページングリクエストがページングリクエストタイプのものである、ということである。
【００４７】
上記で提供されたアクセスネットワークデバイスに対応して、この実施形態は、通信方法を更に提供し、ここで、通信方法は、前述のアクセスネットワークデバイスに適用されることができる。
【００４８】
図３に示されているように、通信方法は、下記のステップを含む。
【００４９】
ステップＳ３０１：アクセスネットワークデバイスが、発呼側ユーザ機器によって送信されたコールリクエストを受信し、ここで、コールリクエストは、着呼側ユーザ機器のユーザ通信識別子を搬送する。
【００５０】
ステップＳ３０２：コアネットワークデバイスによって供給されたページングメッセージをアクセスネットワークデバイスが受信する前に、アクセスネットワークデバイスが、ユーザ通信識別子に基づいて、ページングリクエストを生成する。
【００５１】
ステップＳ３０３：アクセスネットワークデバイスが、生成されたページングリクエストを着呼側ユーザ機器に送信する。
【００５２】
ステップＳ３０４：アクセスネットワークデバイスが、ページングリクエストに基づいて、着呼側ユーザ機器へのシグナリング接続を設定する。
【００５３】
下記は、前述の通信方法の特定の実装ステップを、詳細に説明する。
【００５４】
第１に、ステップＳ３０１が実行され、すなわち、アクセスネットワークデバイスが、発呼側ユーザ機器によって送信されたコールリクエストを受信する。
【００５５】
特定の実装プロセスでは、アクセスネットワークデバイスが発呼側ユーザ機器によって送信されたコールリクエストを受信する前に、通信方法は、発呼側ユーザ機器によって、アクセスネットワークデバイスへのシグナリング接続を設定することを更に含む。
【００５６】
具体的には、コールリクエストは、着呼側ユーザ機器への音声サービス接続を設定することを要求するのに用いられるコールリクエストであり、ここで、コールリクエストは、着呼側ユーザの通信識別子を搬送する。ＵＭＴＳシステムを例として用いると、第３世代パートナーシッププロジェクト（3rd  Generation  Partnership  Project、３ＧＰＰ）プロトコルにおけるコールリクエストは、Ｓｅｔｕｐメッセージと称され、それは、着呼側ユーザのユーザ通信識別子を含む。詳細な説明については、３Ｇｐｐプロトコルを参照し得る。
【００５７】
アクセスネットワークデバイスがコールリクエストを受信した後で、ステップＳ３０２が実行され、すなわち、コアネットワークデバイスによって供給されたページングメッセージをアクセスネットワークデバイスが受信する前に、アクセスネットワークデバイスが、コールリクエストにおいて搬送される着呼側ユーザ機器のユーザ通信識別子に基づいて、ページングリクエストを生成する。
【００５８】
特定の実装プロセスでは、ユーザ通信識別子は、具体的には、下記のもの、すなわち、一次的モバイル加入者識別子（Temporary  Mobile  Subscriber  Identity、ＴＭＳＩ）、パケットテンプレートモバイル加入者識別子（Packet  Temperate  Mobile  Subscription  Identity、Ｐ−ＴＭＳＩ）、国際モバイル加入者識別番号（International  Mobile  Subscriber  Identification  Number、ＩＭＳＩ）、モバイル加入者国際ＩＳＤＮ／ＰＳＤＮ番号（Mobile  Subscriber  International  ISDN/PSDN  number、ＭＳＩＳＤＮ）などのうちのいずれか１つ、又は組合せであり得る。
【００５９】
具体的には、ページングメッセージは、コアネットワークデバイスによってアクセスネットワークデバイスに供給されるメッセージであって、着呼側ユーザ機器へのシグナリング接続を設定することを命じるのに用いられるメッセージであり、ページングリクエストは、アクセスネットワークデバイスによって着呼側ユーザ機器に供給されるリクエストであって、着呼側ユーザ機器へのシグナリング接続を設定することを要求するのに用いられるリクエストである。ＵＭＴＳを例として用いると、３Ｇｐｐプロトコルにおいて、コアネットワークデバイスによってアクセスネットワークデバイスに供給されたページングメッセージは、Ｐａｇｉｎｇと称され、アクセスネットワークデバイスによってユーザ機器に供給されたページングリクエストは、Ｐａｇｉｎｇ  Ｔｙｐｅ１又はＰａｇｉｎｇ  Ｔｙｐｅ２と称される。詳細な説明については、３Ｇｐｐプロトコルを参照し得る。
【００６０】
次に、ステップＳ３０３が実行され、すなわち、アクセスネットワークデバイスが、生成されたページングリクエストを着呼側ユーザ機器に送信する。
【００６１】
ステップＳ３０４が実行され、すなわち、アクセスネットワークデバイスが、ページングリクエストに基づいて、着呼側ユーザ機器へのシグナリング接続を設定する。
【００６２】
特定の実装プロセスでは、シグナリング接続は、情報伝送を実行するのに用いられる、アクセスネットワークデバイスとユーザ機器との間の接続である。ＵＭＴＳを例として用いると、３Ｇｐｐプロトコルにおけるシグナリング接続は、無線リソース制御（Radio  Resource  Control、ＲＲＣ）接続と称される。ＧＳＭを例として用いると、シグナリング接続を設定するプロセスは、アクセスネットワークデバイスとユーザ機器との間でチャネルアクセスを実行するプロセスである。
【００６３】
この実施形態におけるアクセスネットワークデバイスの前述の第１の場合と第２の場合とに対応して、アクセスネットワークデバイスが発呼側無線ネットワークコントローラであるときに、やはり２つの場合、すなわち、発呼側無線ネットワークコントローラと着呼側ユーザ機器が通信するターゲット無線ネットワークコントローラとが同じコントローラである場合、及び発呼側無線ネットワークコントローラとターゲット無線ネットワークコントローラとが異なるコントローラである場合が存在することができ、それらは、下記で別々に説明される。
【００６４】
第１の場合は、発呼側無線ネットワークコントローラとターゲット無線ネットワークコントローラとが同じコントローラである場合である。
【００６５】
すなわち、ステップＳ３０３では、アクセスネットワークデバイスが、生成されたページングリクエストを着呼側ユーザ機器に送信する、ということは、
アクセスネットワークデバイスが、ユーザ通信識別子に基づいて、着呼側ユーザ機器が通信するターゲット無線ネットワークコントローラを判定する、ということと、
着呼側ユーザ機器が通信するターゲット無線ネットワークコントローラと発呼側ユーザ機器が通信する発呼側無線ネットワークコントローラとが同じ無線ネットワークコントローラであるときに、アクセスネットワークデバイスが、生成されたページングリクエストを着呼側ユーザ機器に送信し、アクセスネットワークデバイスが発呼側無線ネットワークコントローラである、ということとを含む。
【００６６】
ＵＭＴＳシステムを例として用いると、ＵＭＴＳシステムでは、アクセスネットワーク（Radio  Access  Network、ＲＡＮ）デバイスは、無線ネットワークコントローラ（Radio  Network  Controller、ＲＮＣ）と基地局（ＮｏｄｅＢ）とを含む。特定の実装プロセスでは、ＵＭＴＳシステムを例として用いると、ＲＡＮは、複数のＲＮＣを含み、発呼側ＵＥと着呼側ＵＥとが、ＲＡＮにおける同じＲＮＣに配置されているときに、
図４を参照すると、図４は、本発明の一実施形態による、発呼側ユーザ機器と着呼側ユーザ機器とが同じ無線ネットワークコントローラに配置されているときに音声サービスを設定するフローチャートである。
【００６７】
第１に、発呼側ＲＮＣが、コールリクエストにおいて搬送される着呼側ＵＥの着呼側ユーザ通信識別子に基づいて、着呼側ＵＥが配置されているターゲットＲＮＣを判定し、発呼側ＵＥと着呼側ＵＥとがＲＡＮにおける同じＲＮＣに配置されているかどうかを判定する。
【００６８】
発呼側ＵＥと着呼側ＵＥとがＲＡＮにおける同じＲＮＣに配置されている場合には、着呼側ユーザ通信識別子に基づいて、発呼側ＲＮＣは、ページングリクエストを生成して、そのページングリクエストを着呼側ＵＥに送信し、それによって、発呼側ＲＮＣとターゲットＲＮＣとの間の通信を省略する。
【００６９】
さらに、アクセスネットワークデバイスが、ステップＳ３０４に従って、着呼側ユーザ機器へのシグナリング接続を設定した後で、方法は、
コアネットワークデバイスによって送信された命令であって、着呼側ユーザ機器への無線サービスベアラ接続を設定するようにアクセスネットワークデバイスに命じる命令をアクセスネットワークデバイスが受信する前に、アクセスネットワークデバイスによって、無線サービスベアラ接続メッセージを生成するステップと、
アクセスネットワークデバイスによって、生成された無線サービスベアラ接続メッセージを着呼側ユーザ機器に送信するステップと、
アクセスネットワークデバイスによって、無線サービスベアラ接続メッセージに基づいて、着呼側ユーザ機器への無線サービスベアラ接続を設定するステップとを更に含む。
【００７０】
特定の実装プロセスでは、ＵＭＴＳを例として用いると、３Ｇｐｐプロトコルにおいて、コアネットワークデバイスが、着呼側ＵＥへの無線サービスベアラ接続を設定するようにＲＡＮに命じるということは、具体的には、コアネットワークデバイスが、着呼側ＵＥに対して無線アクセスベアラ（Radio  Aceess  Bearer、ＲＡＢ）を設定するようにＲＡＮに命じることであり、コアネットワークデバイスによってＲＡＮに供給されＲＡＢを設定するように命じるメッセージは、ＲＡＢ  Ａｓｓｉｇｎｍｅｎｔ  Ｒｅｑｕｅｓｔメッセージである。更にＧＳＭを例として用いると、プロトコルにおいて、コアネットワークデバイスが、着呼側ユーザ機器への無線サービスベアラ接続を設定するようにアクセスネットワークデバイスに命じるということは、具体的には、コアネットワークデバイスが、アクセスネットワークデバイスと着呼側ユーザ機器との間でトラフィックチャネル（Traffic  Channel、ＴＣＨ）アサインメントを実行するように命じるということである。
【００７１】
特定の実装プロセスでは、無線サービスベアラ接続メッセージは、アクセスネットワークデバイスによってユーザ機器に供給され、アクセスネットワークデバイスに対して無線ベアラを設定するようにユーザ機器に命じるのに用いられるメッセージである。ＵＭＴＳを例として用いると、３Ｇｐｐプロトコルにおいて、ＲＡＮと着呼側ＵＥとの間の無線サービスベアラ接続は、無線ベアラ（Radio  Bearer、ＲＢ）と称され、ＲＡＮによって着呼側ＵＥに供給され無線ベアラを設定するように命じるメッセージは、ＲＢ  ｓｅｔｕｐメッセージである。
【００７２】
さらに、アクセスネットワークデバイスが、ステップＳ３０４に従って、着呼側ユーザ機器へのシグナリング接続を設定した後に、方法は、
コアネットワークデバイスによって送信されたリンギング情報をアクセスネットワークデバイスが受信する前に、アクセスネットワークデバイスによって、着呼側ユーザ機器によって送信されたリンギング情報を受信するステップと、
コアネットワークデバイスによって送信されたリンギング情報をアクセスネットワークデバイスが受信する前に、アクセスネットワークデバイスによって、リンギング情報を発呼側ユーザ機器に送信するステップとを更に含む。
【００７３】
特定の実装プロセスでは、リンギング情報は、発呼側ユーザ機器に、接続が完了されたこと、すなわち、発呼側ユーザ機器と着呼側ユーザ機器との間のサービスベアラ接続が設定されたことを通知する情報であって、「ドゥードゥー」というようなリングトーンを鳴らすことを発呼側ユーザ機器に促す情報であり、リンギング情報は、プロトコルにおいてＡｌｅｒｔｉｎｇと称される。
【００７４】
特定の実装プロセスでは、ＵＭＴＳシステムを例として更に用いると、図４に示されるように、発呼側ＵＥと着呼側ＵＥとがＲＡＮにおける同じＲＮＣに配置されているときに、発呼側ＲＮＣは、受信されたリンギング情報を直接に発呼側ＵＥに送信する。
【００７５】
第２の場合は、発呼側無線ネットワークコントローラとターゲット無線ネットワークコントローラとが異なるコントローラである場合である。
【００７６】
すなわち、ステップＳ３０３では、アクセスネットワークデバイスが、生成されたページングリクエストを着呼側ユーザ機器に送信する、ということは、
アクセスネットワークデバイスが、ユーザ通信識別子に基づいて、着呼側ユーザ機器が通信するターゲット無線ネットワークコントローラを判定する、ということと、
着呼側ユーザ機器が通信するターゲット無線ネットワークコントローラと発呼側ユーザ機器が通信する発呼側無線ネットワークコントローラとが同じ無線ネットワークコントローラでないときに、アクセスネットワークデバイスが、生成されたページングリクエストをターゲット無線ネットワークコントローラに送信し、次に、ページングリクエストが、ターゲット無線ネットワークコントローラを用いることにより着呼側ユーザ機器に送信され、アクセスネットワークデバイスが発呼側無線ネットワークコントローラである、ということとを含む。
【００７７】
ＵＭＴＳシステムを例として更に用いると、発呼側ＵＥと着呼側ＵＥとが異なるＲＮＣに配置されているときに、
図５を参照すると、図５は、本発明の一実施形態による、発呼側ユーザ機器と着呼側ユーザ機器とが異なった無線ネットワークコントローラに配置されているときに音声サービスを設定するフローチャートである。
【００７８】
第１に、発呼側ＲＮＣが、コールリクエストにおいて搬送される着呼側ＵＥの着呼側ユーザ通信識別子に基づいて、着呼側ＵＥが配置されているターゲットＲＮＣを判定し、発呼側ＵＥと着呼側ＵＥとがＲＡＮにおける同じＲＮＣに配置されているかどうかを判定する。
【００７９】
発呼側ＵＥと着呼側ＵＥとがＲＡＮにおける異なるＲＮＣに配置されている場合には、発呼側ＲＮＣが、着呼側ユーザ通信識別子を、ターゲットＲＮＣに送信し、次に、受信された着呼側ユーザ通信識別子に基づいて、ターゲットＲＮＣが、ページングリクエストを生成して、そのページングリクエストを着呼側ＵＥに送信するのに用いられる。
【００８０】
特定の実装プロセスでは、発呼側ＲＮＣとターゲットＲＮＣとの間の通信が、２つのＲＮＣの間のＩｕｒインターフェースを通じて実装され、ここで、Ｉｕｒインターフェースは、複数のＲＮＣの間の論理インターフェースであって、それらのＲＮＣの間のシグナリングとデータ交換とのために用いられるインターフェースである。
【００８１】
さらに、アクセスネットワークデバイスが、ステップＳ３０４に従って、着呼側ユーザ機器へのシグナリング接続を設定した後に、方法は、
コアネットワークデバイスによって送信されたリンギング情報をアクセスネットワークデバイスが受信する前に、アクセスネットワークデバイスによって、着呼側ユーザ機器が通信するターゲット無線ネットワークコントローラによって送信されたリンギング情報を受信するステップと、
コアネットワークデバイスによって送信されたリンギング情報をアクセスネットワークデバイスが受信する前に、リンギング情報を発呼側ユーザ機器に送信するステップとを更に含む。
【００８２】
特定の実装プロセスでは、ＵＭＴＳシステムを例として用いると、図５に示されているように、発呼側ＵＥと着呼側ＵＥとがＲＡＮにおける異なるＲＮＣに配置されているときに、発呼側ＲＮＣは、ターゲットＲＮＣによって送信されたリンギング情報を受信し、発呼側ＲＮＣは、そのリンギング情報を発呼側ＵＥに送信する。
【００８３】
特定の実装プロセスでは、発呼側ＲＮＣは、２つのＲＮＣの間のＩｕｒインターフェースを通じて、ターゲットＲＮＣによって送信されたリンギング情報を受信する。
【００８４】
特に、図４及び図５に示されているように、アクセスネットワークデバイスがコールリクエストを受信した後に、一方では、アクセスネットワークデバイスは、元来のシリアルなプロセスに従って、コアネットワークデバイスに報告し、他方では、アクセスネットワークデバイスは、コアネットワークデバイスがページングメッセージを供給する前に、ページングリクエストを着呼側ユーザ機器に同時に送信し、それにより、着呼側ユーザ機器へのシグナリング接続の設定を開始する。すなわち、通信システムが、アクセスネットワークデバイスによって、コアネットワークデバイスへ報告するステップと、コアネットワークデバイスによって、ページングメッセージをアクセスネットワークデバイスに供給するステップとを実行するときに、アクセスネットワークデバイスは、同時に、着呼側ユーザ機器へのシグナリング接続を設定し、その結果、コアネットワークデバイスがページングメッセージをアクセスネットワークデバイスに供給するときに、アクセスネットワークデバイスは、着呼側ユーザ機器へのシグナリング接続の設定を完了しているか、又は、部分的に完了しており、それは、図４及び図５に示されているステップであって、アクセスネットワークデバイスによって、コアネットワークデバイスに報告するステップと、コアネットワークデバイスによって、ページングメッセージをアクセスネットワークデバイスに供給するステップとを実行するために費やされる時間間隔Ｔ１を節約することが可能であって、それによって、音声サービス設定遅延を短縮する。
【００８５】
さらに、図４及び図５に示されているように、アクセスネットワークデバイスが着呼側ユーザ機器へのシグナリング接続を設定した後に、一方では、アクセスネットワークデバイスは、元来のシリアルなプロセスに従って、コアネットワークデバイスに報告し、他方では、アクセスネットワークデバイスは、コアネットワークデバイスが着呼側ユーザ機器への無線サービスベアラ接続を設定するようにアクセスネットワークデバイスに命じる前に、無線サービスベアラ接続メッセージを着呼側ユーザ機器に同時に送信し、それにより、着呼側ユーザ機器への無線サービスベアラ接続の設定を開始する。すなわち、通信システムが、アクセスネットワークデバイスによって、コアネットワークデバイスへ報告するステップと、コアネットワークデバイスによって、着呼側ユーザ機器への無線サービスベアラ接続を設定するようにアクセスネットワークデバイスに命じるステップとを実行するときに、アクセスネットワークデバイスは、同時に、着呼側ユーザ機器への無線サービスベアラ接続を設定し、その結果、コアネットワークデバイスが着呼側ユーザ機器への無線サービスベアラ接続を設定するようにアクセスネットワークデバイスに命じるときに、アクセスネットワークデバイスは、着呼側ユーザ機器への無線サービスベアラ接続の設定を完了しているか、又は、部分的に完了しており、それは、図４及び図５に示されているステップであって、アクセスネットワークデバイスによって、コアネットワークデバイスに報告するステップと、コアネットワークデバイスによって、無線サービスベアラ接続を設定することを命じるステップとを実行するために費やされる時間間隔Ｔ２を節約することが可能であって、それによって、音声サービス設定遅延を短縮する。
【００８６】
さらに、図４及び図５に示されているように、アクセスネットワークデバイスが着呼側ユーザ機器によって送信されたリンギング情報を受信するときに、一方では、アクセスネットワークデバイスは、元来のシリアルなプロセスに従って、コアネットワークデバイスに報告し、他方では、アクセスネットワークデバイスは、コアネットワークデバイスがリンギング情報を供給する前に、リンギング情報を発呼側ユーザ機器に同時に送信し、それにより、リンギングするように発呼側ユーザ機器に命じる。すなわち、通信システムが、アクセスネットワークデバイスによって、コアネットワークデバイスに報告するステップと、コアネットワークデバイスによって、リンギング情報をアクセスネットワークデバイスに供給するステップとを実行するときに、アクセスネットワークデバイスは、リンギング情報を発呼側ユーザ機器に同時に送信し、その結果、発呼側ユーザ機器は前もってリンギングし、それは、図４及び図５に示されているステップであって、アクセスネットワークデバイスによって、コアネットワークデバイスに報告するステップと、コアネットワークデバイスによって、リンギング情報を発呼側ユーザ機器に供給するステップとを実行するために費やされる時間間隔Ｔ３を節約することが可能であって、それによって、音声サービス設定遅延を短縮する。
【００８７】
さらに、本出願のこの実施形態では、アクセスネットワークデバイスによって、ユーザ通信識別子に基づいて、ページングリクエストを生成するステップは、
アクセスネットワークデバイスによって、ユーザ通信識別子に基づいて、着呼側ユーザ機器の接続状態情報を取得するステップと、
アクセスネットワークデバイスによって、接続状態情報に対応するページングリクエストタイプを判定するステップと、
アクセスネットワークデバイスによって、着呼側ユーザ通信識別子に基づいて、ページングリクエストを生成するステップであって、ページングリクエストはページングリクエストタイプのものである、ステップとを含む。
【００８８】
具体的には、アクセスネットワークデバイスは、異なるタイプのページングリクエストを生成し、それらの異なるタイプのページングリクエストを、着呼側ユーザ機器の異なる接続状態に従って、着呼側ユーザ機器に送信し、それにより、アクセスネットワークデバイスにより着呼側ユーザ機器に送信されたページングリクエストが、アクセスネットワークデバイスへのシグナリング接続を設定するように着呼側ユーザ機器をトリガできることを保証する。
【００８９】
下記の説明では、ＵＭＴＳを例として更に用いると、ＲＡＮによって、ページングリクエストを生成し、着呼側ＵＥに送信するステップは、
ＲＡＮによって、コールリクエストにおいて搬送される着呼側ＵＥの着呼側ユーザ通信識別子に基づいて、着呼側ＵＥが配置されているターゲットＲＮＣを判定するステップと、
ＲＡＮによって、ターゲットＲＮＣを用いることにより、着呼側ＵＥの接続状態情報を取得するステップと、
ＲＡＮによって、接続状態情報に対応するページングリクエストタイプを判定するステップと、
着呼側ユーザ通信識別子に基づいて、ＲＡＮによって、ページングリクエストを生成し、そのページングリクエストを着呼側ＵＥに送信するステップであって、ページングリクエストはページングリクエストタイプのものである、ステップとを含む。
【００９０】
たとえば、ＲＡＮが、着呼側ＵＥが下記の状態、すなわちアイドル状態、Ｃｅｌｌ＿ＰＣＨ状態、及びＵＲＡ＿ＰＣＨ状態のうちのいずれか１つにあることを知るときに、ＲＡＮは、Ｐａｇｉｎｇ  Ｔｙｐｅ１を生成し、Ｐａｇｉｎｇ  Ｔｙｐｅ１を着呼側ＵＥに送信する。
【００９１】
ＲＡＮが、着呼側ＵＥがＣｅｌｌ＿ＦＡＣＨ状態にあることを知るときに、ＲＡＮは、Ｐａｇｉｎｇ  Ｔｙｐｅ２を生成し、Ｐａｇｉｎｇ  Ｔｙｐｅ２を着呼側ＵＥに送信する。
【００９２】
同じ発明概念に基づいて、本発明は、別の実施形態を提供する。詳細については、実施形態２が参照され得る。
【００９３】
実施形態２
実施形態２では、アクセスネットワークデバイスが提供され、ここで、アクセスネットワークデバイスは、着呼側ユーザ機器が通信するターゲット無線ネットワークコントローラである。発呼側ユーザ機器が通信する発呼側無線ネットワークコントローラとターゲット無線ネットワークコントローラとは、異なるコントローラである。
【００９４】
図６に示されているように、アクセスネットワークデバイスは、
発呼側ユーザ機器が通信する発呼側無線ネットワークコントローラによって送信された着呼側ユーザ機器のユーザ通信識別子を受信するように構成されている受信機６０１と、
コアネットワークデバイスによって送信されたページングメッセージを受信機６０１が受信する前に、ユーザ通信識別子に基づいてページングリクエストを生成するように構成されたプロセッサであって、ページングリクエストに基づいて着呼側ユーザ機器へのシグナリング接続を設定するように更に構成されているプロセッサ６０２と、
プロセッサ６０２によって生成されたページングリクエストを着呼側ユーザ機器に送信するように構成されている送信機６０３とを含む。
【００９５】
特定の接続関係は、受信機６０１がプロセッサ６０２に接続され、送信機６０３もまたプロセッサ６０２に接続されている、ということである。
【００９６】
発呼側無線ネットワークコントローラによって送信された着呼側ユーザ機器のユーザ通信識別子を受信した後で、アクセスネットワークデバイスは、着呼側ユーザ機器をアクティブにページングし、それにより、コアネットワークデバイスがページングメッセージを供給する前に、着呼側ユーザ機器へのシグナリング接続の設定を開始し、それは、コアネットワークデバイスがページングメッセージをアクセスネットワークデバイスに供給するための待機時間を節約し、それによって、音声サービス設定遅延を短縮するという技術的効果を達成する。
【００９７】
この実施形態では、受信機６０１は、コアネットワークデバイスによって送信された命令であって、着呼側ユーザ機器への無線サービスベアラ接続を設定するようにアクセスネットワークデバイスに命じる命令を受信するように更に構成されており、
プロセッサ６０２は、コアネットワークデバイスによって送信された、無線サービスベアラ接続を設定する命令を受信機６０１が受信する前に、無線サービスベアラ接続メッセージを生成するように更に構成されており、
送信機６０３は、プロセッサ６０２によって生成された無線サービスベアラ接続メッセージを着呼側ユーザ機器に送信するように更に構成されており、
プロセッサ６０２は、無線サービスベアラ接続メッセージに基づいて、着呼側ユーザ機器への無線サービスベアラ接続を設定するように更に構成されている。
【００９８】
この実施形態では、受信機６０１は、着呼側ユーザ機器によって送信されたリンギング情報を受信するように更に構成されており、
送信機６０３は、リンギング情報をコアネットワークデバイスに送信する前に、又は、送信するときに、リンギング情報を発呼側無線ネットワークコントローラに送信するように更に構成されており、アクセスネットワークデバイスは、着呼側ユーザ機器が通信するターゲット無線ネットワークコントローラである。
【００９９】
実施形態２において提供されたアクセスネットワークデバイスに対応して、この実施形態は、通信方法を更に提供し、ここで、通信方法は、前述のアクセスネットワークデバイスに適用されることができる。
【０１００】
図７に示されているように、通信方法は、下記のステップを含む。
【０１０１】
ステップＳ７０１：アクセスネットワークデバイスが、発呼側ユーザ機器が通信する発呼側無線ネットワークコントローラによって送信された着呼側ユーザ機器のユーザ通信識別子を受信する。
【０１０２】
ステップＳ７０２：コアネットワークデバイスによって送信されたページングメッセージをアクセスネットワークデバイスが受信する前に、アクセスネットワークデバイスが、ユーザ通信識別子に基づいて、ページングリクエストを生成する。
【０１０３】
ステップＳ７０３：アクセスネットワークデバイスが、生成されたページングリクエストを着呼側ユーザ機器に送信する。
【０１０４】
ステップＳ７０４：アクセスネットワークデバイスが、ページングリクエストに基づいて、着呼側ユーザ機器へのシグナリング接続を設定する。
【０１０５】
この実施形態では、アクセスネットワークデバイスによって、着呼側ユーザ機器へのシグナリング接続を設定するステップＳ７０４の後に、方法は、
コアネットワークデバイスによって送信された命令であって、着呼側ユーザ機器への無線サービスベアラ接続を設定するようにアクセスネットワークデバイスに命じる命令をアクセスネットワークデバイスが受信する前に、アクセスネットワークデバイスによって、無線サービスベアラ接続メッセージを生成するステップと、
アクセスネットワークデバイスによって、生成された無線サービスベアラ接続メッセージを着呼側ユーザ機器に送信するステップと、
アクセスネットワークデバイスによって、無線サービスベアラ接続メッセージに基づいて、着呼側ユーザ機器への無線サービスベアラ接続を設定するステップとを更に含む。
【０１０６】
この実施形態では、アクセスネットワークデバイスによって、着呼側ユーザ機器へのシグナリング接続を設定するステップＳ７０４の後に、方法は、
アクセスネットワークデバイスによって、着呼側ユーザ機器によって送信されたリンギング情報を受信するステップと、
アクセスネットワークデバイスがリンギング情報をコアネットワークデバイスに送る前に、又は、送るときに、アクセスネットワークデバイスによって、リンギング情報を発呼側無線ネットワークコントローラに送信するステップであって、アクセスネットワークデバイスは、着呼側ユーザ機器が通信するターゲット無線ネットワークコントローラである、ステップとを更に含む。
【０１０７】
実施形態２で提供されるアクセスネットワークデバイス及び通信方法と、実施形態１で提供されるアクセスネットワークデバイス及び通信方法とは、同じ発明概念に基づく２つの態様であり、アクセスネットワークデバイスが発呼側無線ネットワークコントローラである実装プロセスが、上記で詳細に説明されており、したがって、当業者は、アクセスネットワークデバイスがこの実施形態におけるターゲット無線ネットワークコントローラである実装プロセスを明確に理解し得る。本出願の簡潔性のため、本明細書では、詳細は再度説明されない。
【０１０８】
実施形態３
実施形態３では、アクセスネットワークデバイスが提供され、ここで、アクセスネットワークデバイスは、着呼側ユーザ機器が通信するターゲット無線ネットワークコントローラである。
【０１０９】
図８に示されているように、アクセスネットワークデバイスは、
コアネットワークデバイスによって送信された命令であって、着呼側ユーザ機器への無線サービスベアラ接続を設定するようにアクセスネットワークデバイスに命じる命令を受信するように構成されている受信機８０１と、
着呼側ユーザ機器へのシグナリング接続を設定し、無線サービスベアラ接続を設定する命令を受信機８０１が受信する前に、無線サービスベアラ接続メッセージを生成するように構成されているプロセッサ８０２と、
プロセッサ８０２によって生成された無線サービスベアラ接続メッセージを着呼側ユーザ機器に送信するように構成されている送信機８０３とを含んでおり、
プロセッサ８０２は、無線サービスベアラ接続メッセージに基づいて、着呼側ユーザ機器への無線サービスベアラ接続を設定するように更に構成されている。
【０１１０】
特定の接続関係は、受信機８０１がプロセッサ８０２に接続され、送信機８０３もまたプロセッサ８０２に接続されている、というものである。
【０１１１】
着呼側ユーザ機器へのシグナリング接続をアクセスネットワークデバイスが設定したということをアクセスネットワークデバイスが検出した後で、アクセスネットワークデバイスは、無線サービスベアラ接続メッセージをアクティブに生成して、その無線サービスベアラ接続メッセージを着呼側ユーザ機器に送信し、それにより、着呼側ユーザ機器への無線サービスベアラ接続を設定するようにコアネットワークデバイスがアクセスネットワークデバイスに命じる前に、着呼側ユーザ機器への無線サービスベアラ接続の設定を開始し、それは、アクセスネットワークデバイスがコアネットワークデバイスに報告する時刻と、着呼側ユーザ機器への無線サービスベアラ接続を設定するようにコアネットワークデバイスがアクセスネットワークデバイスに命じる時刻との間の時間を節約し、それによって、音声サービス設定遅延を短縮するという技術的効果を達成する。
【０１１２】
実施形態３において提供されたアクセスネットワークデバイスに対応して、この実施形態は、通信方法を更に提供し、ここで、通信方法は、上述のアクセスネットワークデバイスに適用されることができる。
【０１１３】
図９に示されているように、通信方法は、下記のステップを含む。
【０１１４】
ステップＳ９０１：アクセスネットワークデバイスが、着呼側ユーザ機器へのシグナリング接続を設定する。
【０１１５】
ステップＳ９０２：コアネットワークデバイスによって供給された命令であって、着呼側ユーザ機器への無線サービスベアラ接続を設定するようにアクセスネットワークデバイスに命じる命令をアクセスネットワークデバイスが受信する前に、アクセスネットワークデバイスが、無線サービスベアラ接続メッセージを生成する。
【０１１６】
ステップＳ９０３：アクセスネットワークデバイスが、生成された無線サービスベアラ接続メッセージを着呼側ユーザ機器に送信する。
【０１１７】
ステップＳ９０４：アクセスネットワークデバイスが、無線サービスベアラ接続メッセージに基づいて、着呼側ユーザ機器への無線サービスベアラ接続を設定する。
【０１１８】
特定の実装プロセスでは、アクセスネットワークデバイスによって、着呼側ユーザ機器へのシグナリング接続を設定するステップＳ９０１の前に、通信方法は、
アクセスネットワークデバイスによって、発呼側ユーザ機器へのシグナリング接続を設定するステップと、
アクセスネットワークデバイスによって、発呼側ユーザ機器によって送信されたコールリクエストを受信するステップとを更に含む。
【０１１９】
この実施形態は、発呼側ユーザ機器が通信する発呼側無線ネットワークコントローラとターゲット無線ネットワークコントローラとが同じコントローラである場合に適用可能であり、この実施形態は、また、発呼側無線ネットワークコントローラとターゲット無線ネットワークコントローラとが異なるコントローラである場合にも適用可能である。
【０１２０】
同じ発明概念に基づいて、本発明は、別の実施形態を提供する。詳細については、実施形態４を参照し得る。
【０１２１】
実施形態４
実施形態４では、アクセスネットワークデバイスが提供され、ここで、アクセスネットワークデバイスは、発呼側ユーザ機器が通信する発呼側無線ネットワークコントローラである。発呼側無線ネットワークコントローラと着呼側ユーザ機器が通信するターゲット無線ネットワークコントローラとは、異なるコントローラである。
【０１２２】
図１０に示されているように、アクセスネットワークデバイスは、
コアネットワークデバイスによって送信されたリンギング情報を受信する前に、ターゲット無線ネットワークコントローラによって送信されたリンギング情報を受信するように構成されている受信機１００１と、
コアネットワークデバイスによって送信されたリンギング情報を受信機１００１が受信する前に、リンギング情報を発呼側ユーザ機器に送信するように構成されている送信機１００２とを含む。
【０１２３】
実施形態４において提供されたアクセスネットワークデバイスに対応して、この実施形態は、通信方法を更に提供し、ここで、通信方法は、前述のアクセスネットワークデバイスに適用されることができる。
【０１２４】
図１１に示されているように、通信方法は、下記のステップを含む。
【０１２５】
ステップＳ１１０１：コアネットワークデバイスによって送信されたリンギング情報をアクセスネットワークデバイスが受信する前に、アクセスネットワークデバイスは、ターゲット無線ネットワークコントローラによって送信されたリンギング情報を受信する。
【０１２６】
ステップＳ１１０２：コアネットワークデバイスによって送信されたリンギング情報をアクセスネットワークデバイスが受信する前に、アクセスネットワークデバイスが、リンギング情報を発呼側ユーザ機器に送信する。
【０１２７】
同じ発明概念に基づいて、本発明は、別の実施形態を提供する。詳細については、実施形態５を参照し得る。
【０１２８】
実施形態５
実施形態５では、アクセスネットワークデバイスが提供され、ここで、アクセスネットワークデバイスは、着呼側ユーザ機器が通信するターゲット無線ネットワークコントローラである。発呼側無線ネットワークコントローラと着呼側ユーザ機器が通信するターゲット無線ネットワークコントローラとは、異なるコントローラである。
【０１２９】
図１２に示されているように、アクセスネットワークデバイスは、
着呼側ユーザ機器によって送信されたリンギング情報を受信するように構成されている受信機１２０１と、
リンギング情報をコアネットワークデバイスに送る前に、又は、送るときに、リンギング情報を発呼側無線ネットワークコントローラに送信するように構成されている送信機１２０２とを含む。
【０１３０】
実施形態５で提供されたアクセスネットワークデバイスに対応して、この実施形態は、通信方法を更に提供し、ここで、通信方法は、前述のアクセスネットワークデバイスに適用されることができる。
【０１３１】
図１３に示されているように、通信方法は、下記のステップを含む。
【０１３２】
ステップＳ１３０１：アクセスネットワークデバイスが、着呼側ユーザ機器によって送信されたリンギング情報を受信する。
【０１３３】
ステップＳ１３０２：アクセスネットワークデバイスがリンギング情報をコアネットワークデバイスに送信する前に、又は、送信するときに、アクセスネットワークデバイスが、リンギング情報を発呼側無線ネットワークコントローラに送信する。
【０１３４】
同じ発明概念に基づいて、本発明は、別の実施形態を提供する。詳細については、実施形態６を参照し得る。
【０１３５】
実施形態６
実施形態６では、アクセスネットワークデバイスが提供され、ここで、アクセスネットワークデバイスは、発呼側無線ネットワークコントローラと着呼側ユーザ機器が通信するターゲット無線ネットワークコントローラとが同じコントローラである場合に適用可能である。
【０１３６】
図１４に示されているように、アクセスネットワークデバイスは、
コアネットワークデバイスによって送信されたリンギング情報を受信する前に、着呼側ユーザ機器によって送信されたリンギング情報を受信するように構成されている受信機１４０１と、
コアネットワークデバイスによって送信されたリンギング情報を受信機１４０１が受信する前に、リンギング情報を発呼側ユーザ機器に送信するように構成されている送信機１４０２とを含む。
【０１３７】
実施形態５において提供されたアクセスネットワークデバイスに対応して、この実施形態は、通信方法を更に提供し、ここで、通信方法は、上述したアクセスネットワークデバイスに適用されることができる。
【０１３８】
図１５に示されているように、通信方法は、次のステップを含む。
【０１３９】
ステップＳ１５０１：コアネットワークデバイスによって送信されたリンギング情報をアクセスネットワークデバイスが受信する前に、アクセスネットワークデバイスが、着呼側ユーザ機器によって送信されたリンギング情報を受信する。
【０１４０】
ステップＳ１５０２：コアネットワークデバイスによって送信されたリンギング情報をアクセスネットワークデバイスが受信する前に、アクセスネットワークデバイスが、リンギング情報を発呼側ユーザ機器に送信する。
【０１４１】
確かに、特定の実装プロセスでは、下記の３つの解決手段、すなわち、アクセスネットワークデバイスが、コアネットワークデバイスがページングメッセージを供給するのを待機することなく、着呼側ユーザ機器をアクティブにページングする、アクセスネットワークデバイスが、コアネットワークデバイスが無線サービスベアラ接続を設定する命令を供給するのを待機することなく、無線サービスベアラ接続メッセージを着呼側ユーザ機器にアクティブに送信する、及び、アクセスネットワークデバイスが、コアネットワークデバイスがリンギング情報を供給するのを待機することなく、リンギング情報を発呼側ユーザ機器にアクティブに送信する、という３つの解決手段のうちのいずれか１つ又はその組合せが、実装のために選択されることができ、それはこの実施形態では限定されない。
【０１４２】
本出願において提供されているいくつかの実施形態では、受信機は受信ユニット又は受信モジュールであることができ、プロセッサは処理ユニット又は処理モジュールであることができ、そして、送信機は送信ユニット又は送信モジュールであることができる、ということが理解されるはずである。
【０１４３】
本出願の前述の実施形態における技術的解決手段は、下記の技術的効果又は利点のうちの少なくとも１つを含む。
【０１４４】
本発明の実施形態では、アクセスネットワークデバイスが、コアネットワークデバイスの命令を受信する前に、メッセージを発呼側ユーザ機器又は着呼側ユーザ機器に、同時に、アクティブに供給し、それは、音声サービス設定遅延を短縮するという技術的効果を達成する。
【０１４５】
本発明の例示的実施形態が説明されてきたが、当業者は、いったん彼らが基本的な発明概念を知るならば、これらの実施形態に変更及び修正を行うことが可能である。したがって、添付の請求項は、例示的な実施形態並びに本発明の範囲内に含まれるすべての変更及び修正をカバーすると解釈されることを意図している。
【０１４６】
明白に、当業者は、本発明の範囲から逸脱することなく、本発明に対して様々な修正及び改変を行うことが可能である。このように、本発明は、本発明に対するこれらの修正及び改変が本発明の請求項及びそれらの同等の技術の範囲に含まれる限り、これらの修正及び改変をカバーすることを意図している。
【０１４７】
都合が良くそして簡潔な記述のために、前述のシステム、装置、及びユニットの詳細な作業プロセスについては、前述の方法の実施形態における対応するプロセスを参照し得るということ、そして詳細は再度本明細書において説明されないということが、当業者によって明確に理解されるであろう。
【０１４８】
本出願において提供されているいくつかの実施形態では、開示されているシステム、装置、及び方法が他の様態でも実装され得るということが、理解されるはずである。たとえば、説明された装置の実施形態は、単に例示的である。たとえば、ユニットの分割は、単に論理的な機能分割であり、現実の実装の際には他の分割もあり得る。たとえば、複数のユニット又はコンポーネントが、組み合わされるか若しくは別のシステムに組み入れられることがあり得るか、又は、いくつかの特徴が、無視されるか若しくは実行されないこともあり得る。さらに、表示された若しくは論じられた相互間の結合、又は、直接的な結合若しくは通信接続は、何らかのインターフェースを介して実装されることもあり得る。複数の装置若しくはユニットの間の間接的結合又は通信接続は、電子的形態又は他の形態で実装されることがあり得る。
【０１４９】
別々の部分として説明されたユニットが、物理的に別々であるか、又は、物理的には別々でないことがあり得るし、ユニットとして表示された部分が、物理的ユニットであるか、又は、物理的ユニットではないことがあり得るし、１つの位置に配置されていること、又は、複数のネットワークユニット上に分散されていることがあり得る。一部の又は全部のユニットが、実施形態の解決手段の目的を達成するための現実的な必要性に従って、選択され得る。
【０１５０】
さらに、本発明の実施形態における機能ユニットが、１つの処理ユニットに一体化されることがあり得るか、又は、それらのユニットのそれぞれが、物理的に単独で存在することがあり得るか、又は、２つ若しくはそれより多くのユニットが１つのユニットに一体化されることもあり得る。一体化されたユニットは、ハードウェアの形式で実装され得るか、又は、ソフトウェアによる機能ユニットにハードウェアが追加された形式でも実装され得る。
【０１５１】
前述の一体化されたユニットがソフトウェアによる機能ユニットの形式で実装されるときに、一体化されたユニットは、コンピュータ読み取り可能な記憶媒体に記憶され得る。ソフトウェアによる機能ユニットは、記憶媒体に記憶され、本発明の実施形態において説明された方法のステップのうちのいくつかを実行するようにコンピュータデバイス（それは、パーソナルコンピュータ、サーバ、又はネットワークデバイスであり得る）に命令するためのいくつかの命令を含む。前述の記憶媒体は、ＵＳＢフラッシュドライブ、取り外し可能ハードディスク、読出し専用メモリ（Read-Only  Memory、略してＲＯＭ）、ランダムアクセスメモリ（Random  Access  Memory、略してＲＡＭ）、磁気ディスク、又は光ディスクなどの、プログラムコードを記憶することができる任意の媒体を含む。
【０１５２】
最後に、前述の実施形態は、本発明を限定するものではなく、単に本発明の技術的解決手段を説明するためのものとして意図されていることに留意されたい。本発明は前述の実施形態を参照して詳細に説明されているが、当業者であれば、そのような修正又は置換が、対応する技術的解決手段の本質を本発明の実施形態の技術的解決手段の範囲から逸脱させない限り、当業者が、前述の実施形態において説明された技術的解決手段に対して更に修正を行い得るか、又は、そのいくつかの技術的解決手段に対して同等の置換を行い得る、ということを理解するはずである。
【図１】
0006336631.tif 000002
【図２】
0006336631.tif 000003
【図３】
0006336631.tif 000004
【図４】
0006336631.tif 000005
【図５】
0006336631.tif 000006
【図６】
0006336631.tif 000007
【図７】
0006336631.tif 000008
【図８】
0006336631.tif 000009
【図９】
0006336631.tif 000010
【図１０】
0006336631.tif 000011
【図１１】
0006336631.tif 000012
【図１２】
0006336631.tif 000013
【図１３】
0006336631.tif 000014
【図１４】
0006336631.tif 000015
【図１５】
0006336631.tif 000016